(57)【要約】【課題】  構造が単純で故障し難く、メインテナンスが誰でも簡単に出来、コスト的に安価な吸殻回収装置の開発・提供する事にある。【解決手段】  遊戯台の下方に設けた所定幅と所定長さを有する棚板と、棚板の下面後方部に設けた棚板とほぼ同等長さのスクリュウ式コンベヤ等の回転式搬送手段と、回転式搬送手段の側面前方側に所定間隔離して設けた複数の灰皿付吸殻投入口から成り、且つ、複数の吸殻投入口から投入したタバコの吸殻を回転式搬送手段により一括回収可能にしたものである。又、灰皿付吸殻投入口はビス等の取り外し可能な係止手段で棚板の下面前方部に固着し、且つ、回転式搬送手段の搬送ケース本体は、背面中程部に開閉用ヒンジ部を有する上下２分割構造に形成して棚板の下面後方部に固着して設け、且つ、前面部をビス等の係止手段により固着して設け、且つ、該搬送ケース本体内部とスクリュウ部を定期的に分解して清掃可能にしたものである。【選択図】  図１
0003112776.tif 000002
【実用新案登録請求の範囲】
【請求項１】
パチンコ店のパチンコ台等、遊戯台（ＧＳ）の下方に設置するタバコ（Ｔ）の吸殻回収装置であって、該吸殻回収装置は遊戯台（ＧＳ）の下方に設けた所定幅（Ｘ）と所定長さ（Ｌ）を有する棚板（１）と、棚板（１）の下面後方部に設けた棚板とほぼ同等長さのスクリュウ式コンベヤ等の回転式搬送手段（２）と、回転式搬送手段（２）の側面前方側に所定間隔（Ｐ）離して設けた複数の灰皿付吸殻投入口（３）から成り、且つ、複数の吸殻投入口（３）から投入したタバコ（Ｔ）の吸殻を回転式搬送手段（２）により一括回収可能にした事を特徴とするタバコの吸殻回収装置。
【請求項２】
灰皿付吸殻投入口（３）はビス等の取り外し可能な係止手段（Ｂ１）で棚板（１）の下面前方部に固着し、且つ、回転式搬送手段（２）の搬送ケース本体（２ａ）（２ｂ）は、背面中程部に開閉用ヒンジ部（Ｈ）を有する上下２分割構造に形成して棚板（１）の下面後方部に固着して設け、且つ、前面部をビス等の係止手段（Ｂ２）により固着して設け、且つ、該搬送ケース本体（２ａ）（２ｂ）内部とスクリュウ部（２ｃ）を定期的に分解して清掃可能にした事を特徴とするタバコの吸殻回収装置。
【考案の詳細な説明】
【技術分野】
【０００１】
この考案は、パチンコ店のパチンコ台等、遊戯台の下方に設置するタバコの吸殻回収装置に関するものである。
【背景技術】
【０００２】
従来、パチンコ店等に設置してあるタバコの灰皿は、パチンコ台の一台毎に単独で設けられ、タバコの吸殻を回収するのは、人力により一台一台行っていた。しかし、その後、作業効率アップを図る為、ベルトコンベア方式で一括回収するものが出願されている。しかし、この吸殻回収装置は、平ベルトの排出口への往路を上方に置き、平ベルトの復路を下方に配置するように装置を設けなければ灰皿からの吸殻を受けて排出出来ず、平ベルトの往復路を収容する縦長で、且つ、奥行がある大きい回収樋を必要とし、且つ、制作費が高くなるという問題点があった。又、この回収樋に吸殻の火を消火し、消煙する水を貯えるようにする事は平ベルトが消火水を通過して下方にリターンする事となるので難しいものであった。
【０００３】
そこで、更に上記問題点を解消し、消火水を使用して消火・消煙させながら小型、且つ、安価に製作できるタバコの吸殻回収装置が発明され、出願されている。（特許文献１参照。）
【特許文献１】特開平１０−１６５６３８
【０００４】
しかしながら、上記対策品は以前のものと比較すれば改良されてはいるものの、棚板の上部に穴を開けて灰皿を取り付けたもので、棚板清掃時やメインテナンス時に不具合を生じる等、まだまだ構造が複雑で、部品点数も多い為、更なる改良が必要で構造が単純で故障し難く、メインテナンスが簡単に出来、コスト的に安価な吸殻回収装置の開発が望まれている。
【考案の開示】
【考案が解決しようとする課題】
【０００５】
そこで、上記課題を解決する為に、この考案は構造が単純で故障し難く、メインテナンスが誰でも簡単に出来、コスト的に安価な吸殻回収装置の開発・提供する事にある。
【課題を解決するための手段】
【０００６】
この課題を解決する為の手段として、遊戯台の下方に設けた所定幅と所定長さを有する棚板と、棚板の下面後方部に設けた棚板とほぼ同等長さのスクリュウ式コンベヤ等の回転式搬送手段と、回転式搬送手段の側面前方側に所定間隔離して設けた複数の灰皿付吸殻投入口から成り、且つ、複数の吸殻投入口から投入したタバコの吸殻を回転式搬送手段により一括回収可能にしたものである。
【０００７】
又、灰皿付吸殻投入口はビス等の取り外し可能な係止手段で棚板の下面前方部に固着し、且つ、回転式搬送手段の搬送ケース本体は、背面中程部に開閉用ヒンジ部を有する上下２分割構造に形成して棚板の下面後方部に固着して設け、且つ、前面部をビス等の係止手段により固着して設け、且つ、該搬送ケース本体内部とスクリュウ部を定期的に分解して清掃可能にしたものである。
【考案の効果】
【０００８】
この考案の効果として、遊戯台の下方に設けた所定幅と所定長さを有する棚板と、棚板の下面後方部に設けた棚板とほぼ同等長さのスクリュウ式コンベヤ等の回転式搬送手段と、回転式搬送手段の側面前方側に所定間隔離して設けた複数の灰皿付吸殻投入口から成り、且つ、複数の吸殻投入口から投入したタバコの吸殻を回転式搬送手段により一括回収可能にし、又、灰皿付吸殻投入口はビス等の取り外し可能な係止手段で棚板の下面前方部に固着し、且つ、回転式搬送手段の搬送ケース本体は、背面中程部に開閉用ヒンジ部を有する上下２分割構造に形成して棚板の下面後方部に固着して設け、且つ、前面部をビス等の係止手段により固着して設け、且つ、該搬送ケース本体内部とスクリュウ部を定期的に分解して清掃可能にする事で、構造が単純で故障し難く、棚板上面部の清掃やメインテナンスが誰でも簡単に出来、コスト的に安価で美観が綺麗である等、極めて有益なる効果を奏するものである。
【考案を実施するための最良の形態】
【０００９】
この考案の最良の形態として、分解・組立を更に容易にし、ランニングコストを減少する為に、回転式搬送手段のスクリュウ軸部を連接型にする事が望ましい。
【実施例１】
【００１０】
そこで、この考案の一実施例を図１〜図５に基づいて詳述すると、パチンコ店のパチンコ台等、遊戯台（ＧＳ）の下方に設置するタバコ（Ｔ）の吸殻回収装置であって、該吸殻回収装置は遊戯台（ＧＳ）の下方に設けた所定幅（Ｘ）と所定長さ（Ｌ）を有する棚板（１）と、棚板（１）の下面後方部に設けた棚板とほぼ同等長さのスクリュウ式コンベヤ等の回転式搬送手段（２）と、回転式搬送手段（２）の側面前方側に所定間隔（Ｐ）離して設けた複数の灰皿付吸殻投入口（３）から成り、且つ、複数の吸殻投入口（３）から投入したタバコ（Ｔ）の吸殻を回転式搬送手段（２）により一括回収可能にした事を特徴とするタバコの吸殻回収装置から構成される。
【００１１】
又、灰皿付吸殻投入口（３）はビス等の取り外し可能な係止手段（Ｂ１）で棚板（１）の下面前方部に固着し、且つ、回転式搬送手段（２）の搬送ケース本体（２ａ）（２ｂ）は、背面中程部に開閉用ヒンジ部（Ｈ）を有する上下２分割構造に形成して棚板（１）の下面後方部に固着して設け、且つ、前面部をビス等の係止手段（Ｂ２）により固着して設け、且つ、該搬送ケース本体（２ａ）（２ｂ）内部とスクリュウ部（２ｃ）を定期的に分解して清掃可能にした事を特徴とするタバコの吸殻回収装置から構成される。
【００１２】
次に、この考案の詳細寸法及び構造について説明すると、まず棚板（１）は板厚が１２ｍｍで幅が１２０ｍｍの木製で形成され、その棚板（１）の下面後方部に、所定間隔毎にタバコ投入用の開口穴部（２ｂ’）を側面前方部に複数箇所設けた内幅寸法が約５５ｍｍのアルミ製の搬送ケース本体（２ａ）（２ｂ）をビス（Ｂ３）で固着し、且つ、該搬送ケース本体内部には、直径が約５５ｍｍの電動回転式モートル等の駆動手段で駆動するスクリュウ部（２ｃ）を設け、且つ、該タバコ（Ｔ）投入用の開口穴部（２ｂ’）に合わせて複数の灰皿付吸殻投入口（３）を棚板（１）の下面前方部にビス（Ｂ１）で固着したものである。又、灰皿付吸殻投入口（３）は灰皿本体部（３ａ）と灰皿引出部（３ｂ）で構成され、灰皿引出部にはタバコ係止穴部（３ｂ’）が設けられている。
【００１３】
又、この考案の取付方法について説明すると、遊戯台（ＧＳ）の下部に棚板（１）と回転式搬送手段（２）を組み合わせたものを遊戯台（ＧＳ）の台数に合わせて所定長さ（Ｌ）程設置し、灰皿付吸殻投入口（３）は遊戯台（ＧＳ）の台数に合わせて所定間隔（Ｐ）空けて設けている。
【００１４】
又、使用方法は、図６に示す様に灰皿付吸殻投入口（３）に投入されたタバコ（Ｔ）は、タバコ投入用の開口穴部（２ｂ’）から搬送ケース本体（２ａ）（２ｂ）に入る為、定期的に電動回転式モートル等の駆動手段（Ｍ）を駆動させる事で、搬送ケース本体内部のスクリュウ（２ｃ）が回転し、タバコ（Ｔ）の吸殻は自動的にケースの長手方向に搬送され、ケースの端部に設けた回収箱（ＢＯ）へ収納される。
【００１５】
そして、定期的に搬送ケース本体（２ａ）（２ｂ）内部を分解し清掃する場合には、最初に複数の灰皿付吸殻投入口（３）の取付用ビス等の係止手段（Ｂ１）をドライバーで緩めて取り外し、そして次に、搬送ケース本体（２ａ）（２ｂ）前面部の固定用ビス等の係止手段（Ｂ２）をドライバーで緩めて取り外し、搬送ケース本体の開閉用ヒンジ部（Ｈ）を中心にしてケース本体（下部）を下方に開いてスクリュウ（２ｃ）部を取り外し、搬送ケース本体（２ａ）（２ｂ）内部及びスクリュウ（２ｃ）を清掃する。又、清掃後の組立方法は、分解時の逆の手順で行う。
【産業上の利用可能性】
【００１６】
この考案のタバコの吸殻回収装置は、構造が単純で故障し難く、メインテナンスが誰でも簡単に出来、コスト的に安価である為、多くのパチンコ産業市場に寄与する点で産業上の利用可能性を有する。
【図面の簡単な説明】
【００１７】
【図１】この考案の一実施例を示し、正面図である。
【図２】この考案の一実施例を示し、右側面図である。
【図３】この考案の一実施例を示し、図２のａ−ａ矢視断面図である。
【図４】この考案の一実施例を示し、図２のｂ−ｂ矢視断面図である。
【図５】この考案の一実施例を示し、図１のａ−ａ矢視断面図である。
【図６】この考案の使用例を示し、斜視図である。
【符号の説明】
【００１８】
１  棚板
２  回転式搬送手段
２ａ  ケース本体（上部）
２ｂ  ケース本体（下部）
２ｂ’  開口穴部
２ｃ  スクリュウ部
３  灰皿付吸殻投入口
３ａ  灰皿本体部
３ｂ  灰皿引出部
３ｂ’  タバコ係止穴部
ＢＯ  回収箱
Ｂ１  ビス
Ｂ２  ビス
Ｂ３  ビス
ＧＳ  遊戯台
Ｈ  開閉用ヒンジ部
Ｌ  所定長さ
Ｍ  駆動手段
Ｐ  所定間隔
Ｔ  タバコ
Ｘ  所定幅
【図１】
0003112776.tif 000003
【図２】
0003112776.tif 000004
【図３】
0003112776.tif 000005
【図４】
0003112776.tif 000006
【図５】
0003112776.tif 000007
【図６】
0003112776.tif 000008